(57)【要約】【課題】本発明は、アクティブマトリクス表示装置において、タイミングコントローラから出力するスタートパルスの信号線に関する構成を簡素化することを目的とする。【解決手段】タイミングコントローラ１４から対象駆動回路（画像信号線駆動回路５，６，７及び走査線駆動回路３，４の少なくとも一方）に対するスタートパルスの信号線は、分岐して、順方向走査におけるタイミングコントローラ１４からの入力部となるべき対象駆動回路の入出力部と、逆方向走査におけるタイミングコントローラ１４からの入力部となるべき対象駆動回路の入出力部とに接続される。順方向走査におけるタイミングコントローラ１４からの入力部となるべき対象駆動回路の入出力部と、逆方向走査におけるタイミングコントローラ１４からの入力部となるべき対象駆動回路の入出力部から、タイミングコントローラ１４への出力は遮断される。【選択図】図７
2017090643.tif 000002
【特許請求の範囲】
【請求項１】
相異なる第１方向及び第２方向のマトリクス状に設けられた複数の表示画素を前記第１方向に走査する信号を供給する第１駆動回路と、
前記表示画素を前記第２方向に走査する信号を供給する第２駆動回路と、
前記第１駆動回路及び前記第２駆動回路による走査を制御するタイミングコントローラと、を備え、
前記タイミングコントローラは、前記第１方向及び前記第２方向の夫々における走査方向を順方向又は逆方向に切替可能であって、
前記タイミングコントローラから前記第１駆動回路及び前記第２駆動回路の少なくとも一方を含む対象駆動回路に対するスタートパルスの信号線は、分岐して、順方向走査における前記タイミングコントローラからの入力部となるべき前記対象駆動回路の入出力部と、逆方向走査における前記タイミングコントローラからの入力部となるべき前記対象駆動回路の入出力部とに接続され、
順方向走査における前記タイミングコントローラからの入力部となるべき前記対象駆動回路の入出力部と、逆方向走査における前記タイミングコントローラからの入力部となるべき前記対象駆動回路の入出力部から、前記タイミングコントローラへの出力は遮断されることを特徴とする、
画像表示装置の駆動回路。
【請求項２】
各前記対象駆動回路の前記入出力部は入出力バッファであって、
順方向走査における前記タイミングコントローラからの入力部となるべき前記対象駆動回路の前記入出力バッファ、並びに逆方向走査における前記タイミングコントローラからの入力部となるべき前記対象駆動回路の前記入出力バッファは、入力バッファとしてのみ機能する、
請求項１に記載の画像表示装置の駆動回路。
【請求項３】
前記入出力バッファは３ステートバッファであって、
順方向走査における前記タイミングコントローラからの入力部となるべき前記対象駆動回路の前記入出力バッファ、並びに逆方向走査における前記タイミングコントローラからの入力部となるべき前記対象駆動回路の前記入出力バッファは、常に出力がハイインピーダンスになる、
請求項２に記載の画像表示装置の駆動回路。
【請求項４】
前記タイミングコントローラから前記対象駆動回路に対するスタートパルスの信号線は、前記分岐より前記第１駆動回路側で第１ダイオードを介して前記対象駆動回路と接続し、
前記第１ダイオードのカソードが前記対象駆動回路に接続される、
請求項２に記載の画像表示装置の駆動回路。
【請求項５】
前記入出力バッファは３ステートバッファであって、
前記３ステートバッファにおける出力バッファと入力バッファとの接続点より出力バッファ側に設けられた第２ダイオードをさらに備え、
前記第２ダイオードのアノードが前記出力バッファに接続される、
請求項４に記載の画像表示装置の駆動回路。
【発明の詳細な説明】
【技術分野】
【０００１】
この発明は、マトリクス画素の駆動回路の構成に関する。
【背景技術】
【０００２】
液晶表示装置等の画像表示装置では、複数の画素が行列状（マトリクス状）に配列された表示素子（表示パネル）の画素行（画素ライン）ごとにゲート線（走査線）が設けられる。また、表示画素の画素列ごとにソース線（画像信号線）が設けられる。そして、走査線駆動回路が表示信号の１水平期間の周期でそのゲート線を順次選択して駆動することにより表示画像の更新が行われる。
【０００３】
画像信号線駆動回路および走査線駆動回路は、例えば幾つかのＩＣのカスケード接続により構成されており、これらのＩＣはスタートパルスの入出力端子を２本持ち、一方を入力、他方を出力として用いる。
【０００４】
通常、制御の手順としては、まずはタイミングコントローラから最初のＩＣにスタートパルスが入力され、そのスタートパルスが次々に後段のＩＣへと受け渡され、最後のＩＣからタイミングコントローラに返される。これらの制御は、画像信号線駆動回路および走査線駆動回路のそれぞれに対して行われる。
【０００５】
こうした順次の制御方向は、逆転させることによって、容易に表示画面を左右対称または上下対称に変更することができる。すなわち、逆の手順でスタートパルスをシフトすることで、表示方向を変更することが出来る。以下、本明細書では、通常の手順による走査を順スキャン、逆の手順による走査を逆スキャンと称する。
【先行技術文献】
【特許文献】
【０００６】
【特許文献１】特開２００６−２８５１４１号公報
【発明の概要】
【発明が解決しようとする課題】
【０００７】
このようにスキャン方向を切り替えるためには、タイミングコントローラ、画像信号線駆動回路及び走査線駆動回路は、それぞれスタートパルスをどちらにも伝達できるように、入出力バッファの設定をタイミングコントローラで制御する必要があるという問題があった。
【０００８】
また、最終段のＩＣからタイミングコントローラにスタートパルスが戻るが、これらがタイミングコントローラ内で利用されることは少なく、配線の無駄が生じてしまう。また、最終段のＩＣからタイミングコントローラに戻る配線は、少なくとも、タイミングコントローラ内の入出力バッファの入力バッファにあたる部分を駆動してしまう。
【０００９】
特許文献１では、走査線駆動回路におけるスタートパルスの配線方法について言及されているが、回路の簡素化及び消費電力の削減を図るものではない。
【００１０】
本発明は、上記の課題に鑑みてなされたものであり、アクティブマトリクス表示装置において、タイミングコントローラとその周辺回路との間の構成を簡素化すると共に、消費電力を削減することを目的とする。
【課題を解決するための手段】
【００１１】
本発明に関する画像表示装置の駆動回路は、相異なる第１方向及び第２方向のマトリクス状に設けられた複数の表示画素を第１方向に走査する信号を供給する第１駆動回路と、表示画素を第２方向に走査する信号を供給する第２駆動回路と、第１駆動回路及び第２駆動回路による走査を制御するタイミングコントローラと、を備え、タイミングコントローラは、第１方向及び第２方向の夫々における走査方向を順方向又は逆方向に切替可能であって、タイミングコントローラから第１駆動回路及び第２駆動回路の少なくとも一方を含む対象駆動回路に対するスタートパルスの信号線は、分岐して、順方向走査におけるタイミングコントローラからの入力部となるべき対象駆動回路の入出力部と、逆方向走査におけるタイミングコントローラからの入力部となるべき対象駆動回路の入出力部とに接続され、順方向走査におけるタイミングコントローラからの入力部となるべき対象駆動回路の入出力部と、逆方向走査におけるタイミングコントローラからの入力部となるべき対象駆動回路の入出力部から、タイミングコントローラへの出力は遮断されることを特徴とする。
【発明の効果】
【００１２】
本発明に関する画像表示装置の駆動回路は、相異なる第１方向及び第２方向のマトリクス状に設けられた複数の表示画素を第１方向に走査する信号を供給する第１駆動回路と、表示画素を第２方向に走査する信号を供給する第２駆動回路と、第１駆動回路及び第２駆動回路による走査を制御するタイミングコントローラと、を備え、タイミングコントローラは、第１方向及び第２方向の夫々における走査方向を順方向又は逆方向に切替可能であって、タイミングコントローラから第１駆動回路及び第２駆動回路の少なくとも一方を含む対象駆動回路に対するスタートパルスの信号線は、分岐して、順方向走査におけるタイミングコントローラからの入力部となるべき対象駆動回路の入出力部と、逆方向走査におけるタイミングコントローラからの入力部となるべき対象駆動回路の入出力部とに接続され、順方向走査におけるタイミングコントローラからの入力部となるべき対象駆動回路の入出力部と、逆方向走査におけるタイミングコントローラからの入力部となるべき対象駆動回路の入出力部から、タイミングコントローラへの出力は遮断されることを特徴とする。従って、タイミングコントローラから第１駆動回路及び第２駆動回路にスタートパルスを出力する信号線の本数を削減することができる。
【図面の簡単な説明】
【００１３】
【図１】前提技術に係る液晶表示装置の構成図である。
【図２】順スキャンにおけるスタートパルスのタイミングチャートである。
【図３】逆スキャンにおけるスタートパルスのタイミングチャートである。
【図４】前提技術に係る入出力バッファの構成を示す図である。
【図５】前提技術に係る入出力バッファを構成する３ステートバッファの真理値表を示す図である。
【図６】ｍｉｎｉＬＶＤＳの信号方式を用いた前提技術に係る液晶表示装置の構成図である。
【図７】実施の形態１に係る液晶表示装置の構成図である。
【図８】実施の形態１に係る入出力バッファを示す図である。
【図９】実施の形態１に係る入出力バッファを構成する３ステートバッファの真理値表を示す図である。
【図１０】実施の形態２に係る液晶表示装置の構成図である。
【図１１】実施の形態２に係る入出力バッファを示す図である。
【図１２】実施の形態２に係る入出力バッファの真理値表を示す図である。
【発明を実施するための形態】
【００１４】
＜Ａ．前提技術＞
図１は、本発明の前提技術に係る液晶表示装置１の構成図である。液晶表示装置１は、液晶パネル２と、走査線駆動回路３，４、画像信号線駆動回路５，６，７、タイミングコントローラ１４、スケーラチップ１５を備えている。
【００１５】
図１には説明の簡単化のため一つの画素３３のみを示しているが、実際には液晶パネル２において複数の画素３３がマトリクス状に配置されている。画素３３は、同じ行に配列された画素３３ごとに走査線３１で接続され、走査線３１は走査線駆動回路３，４により駆動される。また、画素３３は、同じ列に配列された画素３３ごとに画像信号線３２に接続され、画像信号線３２は画像信号線駆動回路５，６，７により駆動される。
【００１６】
図１に２つの走査線駆動回路３，４と、３つの画像信号線駆動回路５，６，７を示しているように、これらの回路はカスケード接続された複数のＩＣである。そして、各ＩＣはスタートパルスの入出力端子を２本持ち、一方を入力、他方を出力として用いる。
【００１７】
タイミングコントローラ１４は、走査線駆動回路３，４と、画像信号線駆動回路５，６，７の駆動を制御する。タイミングコントローラ１４から走査線駆動回路３へはスタートパルスＳＴＶ１の信号線が接続されている。走査線駆動回路３，４間はスタートパルスＳＴＶ１−２の信号線が接続されている。走査線駆動回路４とタイミングコントローラ１４間はスタートパルスＳＴＶ２の信号線が接続されている。また、タイミングコントローラ１４と走査線駆動回路３，４間は、走査線駆動回路用スキャン設定信号ＵＤの信号線が接続されている。
【００１８】
タイミングコントローラ１４から画像信号線駆動回路５へはスタートパルスＳＴＨ１の信号線が接続されている。画像信号線駆動回路５，６間はスタートパルスＳＴＨ１−２の信号線が接続されており、画像信号線駆動回路６，７間はスタートパルスＳＴＨ２−３の信号線が接続されている。画像信号線駆動回路７とタイミングコントローラ１４間はスタートパルスＳＴＨ３の信号線が接続されている。また、タイミングコントローラ１４と画像信号線駆動回路５，６，７間は、画像信号線駆動回路用スキャン設定信号ＲＬの信号線が接続されている。
【００１９】
画像信号線駆動回路５，６，７における順スキャンのスタートパルスの流れは、ＳＴＨ１、ＳＴＨ１−２、ＳＴＨ２−３、ＳＴＨ３の順番である。また、走査線駆動回路３，４における順スキャンのスタートパルスの流れは、ＳＴＶ１，ＳＴＶ１−２、ＳＴＶ２の順番である。
【００２０】
また、画像信号線駆動回路５，６，７における逆スキャンのスタートパルスの流れは、ＳＴＨ３、ＳＴＨ２−３、ＳＴＨ１−２、ＳＴＨ１の順番である。また、走査線駆動回路３，４における逆スキャンのスタートパルスの流れは、ＳＴＶ２、ＳＴＶ１−２、ＳＴＶ１の順番である。
【００２１】
図２に、タイミングコントローラ１４及び画像信号線駆動回路５，６，７間におけるスタートパルスのタイミングチャートを示す。このタイミングチャートは、横方向が時間、縦方向が電圧をそれぞれ示している。そして、図２は順スキャンにおけるタイミングチャートを示し、スタートパルスがＳＴＨ１、ＳＴＨ１−２，ＳＴＨ２−３，ＳＴＨ３の順に流れる様子を示している。なお、ｔ１，ｔ２，ｔ３はそれぞれ、画像信号線駆動回路５，６，７をシフトする期間を示している。また、図３は逆スキャンにおけるタイミングチャートを示し、スタートパルスがＳＴＨ３、ＳＴＨ２−３，ＳＴＨ１−２，ＳＴＨ１の順に流れる様子を示している。なお、ｔ４，ｔ５，ｔ６はそれぞれ、画像信号線駆動回路７，６，５をシフトする期間を示している。
【００２２】
このようにスキャン方向を切り替えるためには、タイミングコントローラ１４、画像信号線駆動回路５，６，７及び走査線駆動回路３，４はそれぞれ、スタートパルスがどちらの方向にも伝達できるように、入出力バッファを備える必要がある。その入出力バッファの構成を図４に、真理値表を図５に示す。
【００２３】
タイミングコントローラ１４は、スケーラチップ１５からスキャン方向を示す信号（ＳＣＭＤ）を取り込み、当該ＳＣＭＤを画像信号線駆動回路用スキャン設定信号（ＲＬ）として画像信号線駆動回路５，６，７の入出力バッファ（３ステートバッファ）に出力する。また、タイミングコントローラ１４は、ＳＣＭＤを走査線駆動回路用スキャン設定信号（ＵＤ）として走査線駆動回路３，４の入出力バッファ（３ステートバッファ）に出力する。従って、タイミングコントローラ１４側で画像信号線駆動回路５，６，７及び走査線駆動回路３，４の入出力バッファの設定を制御する必要がある。
【００２４】
また、順スキャンにおいて、ＳＴＨ３、ＳＴＶ２は、一連のカスケード制御を終えてタイミングコントローラ１４に戻る信号となるが、これらがタイミングコントローラ１４内で利用されることはない。同様に、逆スキャンの場合はＳＴＨ１、ＳＴＶ１がタイミングコントローラ１４に戻る信号となるが、これらがタイミングコントローラ１４内で利用されることはない。このように、タイミングコントローラ１４に接続される配線に無駄が生じている。そればかりか、画像信号線駆動回路５，６，７及び走査線駆動回路３，４からタイミングコントローラ１４に戻される配線は、少なくともタイミングコントローラ１４内の入出力バッファの入力バッファに当たる部分を駆動してしまい、無駄な消費電力を生じさせている。
【００２５】
図１では、スタートパルスを用いる液晶表示装置について説明した。図６では、ｍｉｎｉＬＶＤＳの信号方式を用いた液晶表示装置の構成を示す。ｍｉｎｉＬＶＤＳの信号方式を用いる液晶表示装置では、画像信号線駆動回路の初段に入れるスタートパルスＳＴＨ１及び最終段に入れるスタートパルスＳＴＨ３は、常にＨｉｇｈ信号となるため、ある程度配線の簡素化が図れる。しかし、スキャン後の信号とＨｉｇｈ信号とが競合するため、その部分で無駄な消費電流（消費電力）が発生してしまう。
【００２６】
以上の問題を解決するために、本発明では、タイミングコントローラ１４とその周辺回路との間の配線を簡素化すると共に、消費電力を低減することを目的として、以下の工夫を施した。
【００２７】
＜Ｂ．実施の形態１＞
＜Ｂ−１．構成＞
図７は、実施の形態１の液晶表示装置１０１の構成図である。以下には、液晶表示装置１０１の構成のうち、前提技術に係る液晶表示装置１と異なる部分について主に説明する。
【００２８】
タイミングコントローラ１４から出力される画像信号線駆動回路５，６，７用のスタートパルスＳＴＨは、単純な分岐を介して、順スキャンにおける最前段の画像信号線駆動回路５と、逆スキャンにおける最前段の画像信号線駆動回路７とに接続される。また、タイミングコントローラ１４から出力される走査線駆動回路３，４用のスタートパルスＳＴＶは、単純な分岐を介して、順スキャンにおける最前段の走査線駆動回路３と、逆スキャンにおける最前段の走査線駆動回路４とに接続される。
【００２９】
また、前提技術の液晶表示装置１では、画像信号線駆動回路５，６，７及び走査線駆動回路３，４内にスタートパルス用の入出力バッファ（３ステートバッファ）を設けたが、液晶表示装置１０１では、３ステートバッファの制御端子にＡＮＤゲートを追加し、ＡＮＤゲートの一方の入力端子にスタートパルスの方向を制御するＳＣＭＤを入力する。このＡＮＤゲートを追加した実施の形態１に係る入出力バッファの構成を図８に、実施の形態１に係る入出力バッファの真理値表を図９に示す。
【００３０】
出力端子ＩＯｄがタイミングコントローラ１４と接続されている３ステートバッファについては、そのＡＮＤゲートの入力端子（ＯＦＦ）に０を入力し、出力端子ＩＯｄが常にハイインピーダンス（Ｈｉｚ）となるようにする。一方、出力端子ＩＯｄがタイミングコントローラ１４と接続されていない３ステートバッファについては、そのＡＮＤゲートの入力端子（ＯＦＦ）に１を入力し、ＳＣＭＤ（ＳＴｉｏ）により入出力方向が制御されるようにする。
【００３１】
以上の構成により、タイミングコントローラ１４と接続されている（すなわち、順スキャン又は逆スキャンの場合に最前段又は最後段のＩＣとなる）画像信号線駆動回路５，６，７又は走査線駆動回路３，４の入出力バッファからの出力がハイインピーダンスとなるように設定される。従って、タイミングコントローラ１４から分岐を介して入力されるスタートパルス（ＳＴＨ）は、画像信号線駆動回路５，６，７および走査線駆動回路３，４を介してシフトされたスタートパルスと競合することはない。
【００３２】
図７に示すように、タイミングコントローラ１４からのスタートパルスの出力数は、従来例の半分となる。よって、タイミングコントローラ１４と画像信号線駆動回路５，６，７間、及びタイミングコントローラ１４と走査線駆動回路３，４間の構成を簡素化できる。また、タイミングコントローラ１４と画像信号線駆動回路５，６，７間の制御信号により発生するリーク電流を抑制することができる。
【００３３】
また、タイミングコントローラ１４では、スタートパルスを順スキャン用又は逆スキャン用と選択する必要がないため、構成を簡素化できる。さらに、タイミングコントローラ１４からのスタートパルスＳＴＨ，ＳＴＶの入出力バッファについては、出力バッファの機能があれば良い。
【００３４】
なお、ＯＦＦ端子におけるＨｉｇｈ又はＬｏｗの設定は、液晶表示装置の種別により決まるため、表示用のＴＦＴを搭載したガラス基板上、または上記種別により作成する必要のある制御基板上などで行う事により、画像信号線駆動回路５，６，７および走査線駆動回路３，４の汎用性を確保することができる。
【００３５】
＜Ｂ−２．変形例＞
以上の説明では、タイミングコントローラ１４がＳＣＭＤを一旦スケーラチップ１５から取り込み、画像信号線駆動回路用スキャン設定信号（ＲＬ）、走査線駆動回路用スキャン設定信号（ＵＤ）に配信している。しかし、画像信号線駆動回路用スキャン設定信号（ＲＬ）と走査線駆動回路用スキャン設定信号（ＵＤ）との間で、スキャン方向とｈｉｇｈ／ｌｏｗの特性を一致させておけば、タイミングコントローラ１４を介さず直接ＳＣＭＤを画像信号線駆動回路５，６，７および走査線駆動回路３，４の設定に使うことが可能である。
【００３６】
また、画像信号線駆動回路用スキャン設定信号（ＲＬ）と走査線駆動回路用スキャン設定信号（ＵＤ）との間で、スキャン方向とｈｉｇｈ／ｌｏｗの特性が一致していない場合も、画像信号線駆動回路５，６，７か走査線駆動回路３，４のどちらか片側にインバータを入れることにより、タイミングコントローラ１４を介さず直接ＳＣＭＤを画像信号線駆動回路５，６，７および走査線駆動回路３，４の設定に使うことが可能である。
【００３７】
また、画像信号線駆動回路５，６，７及び走査線駆動回路３，４の入出力部である入出力バッファに３ステートバッファを使用して順方向スタートパルスと逆方向スタートパルスを一本化する例を示したが、３ステートバッファを使用して順方向スタートパルスと逆方向スタートパルスを一本化する駆動回路を、必ずしも画像信号線駆動回路５，６，７及び走査線駆動回路３，４の両方に適用する必要はなく、どちらか一方のみに適用してもよいことは無論である。本明細書では、順方向スタートパルスと逆方向スタートパルスを一本化する駆動回路のことを対象駆動回路とも呼ぶ。すなわち、対象駆動回路は、画像信号線駆動回路５，６，７及び走査線駆動回路３，４の一方を少なくとも含む。
【００３８】
＜Ｂ−３．効果＞
実施の形態１に係る液晶表示装置の駆動回路１０１は、相異なる第１方向及び第２方向のマトリクス状に設けられた複数の液晶表示画素３３を第１方向に走査する信号を供給する画像信号線駆動回路５，６，７（第１駆動回路）と、液晶表示画素３３を第２方向に走査する信号を供給する走査線駆動回路３，４（第２駆動回路）と、画像信号線駆動回路５，６，７及び走査線駆動回路３，４による走査を制御するタイミングコントローラ１４と、を備える。タイミングコントローラ１４は、第１方向及び第２方向の夫々における走査方向を順方向又は逆方向に切替可能であって、タイミングコントローラ１４から画像信号線駆動回路５，６，７及び走査線駆動回路３，４の少なくとも一方を含む対象駆動回路に対するスタートパルスの信号線ＳＴＨは、分岐して、順方向走査におけるタイミングコントローラ１４からの入力部となるべき対象駆動回路の入出力部と、逆方向走査におけるタイミングコントローラ１４からの入力部となるべき対象駆動回路の入出力部とに接続され、順方向走査におけるタイミングコントローラ１４からの入力部となるべき対象駆動回路の入出力部と、逆方向走査におけるタイミングコントローラ１４からの入力部となるべき対象駆動回路の入出力部から、タイミングコントローラ１４への出力は遮断される。従って、タイミングコントローラ１４と対象駆動回路とを接続するスタートパルスの信号線の本数を削減することが出来る。
【００３９】
また、対象駆動回路の入出力部は入出力バッファであって、順方向走査におけるタイミングコントローラ１４からの入力部となるべき対象駆動回路の入出力バッファ、並びに逆方向走査におけるタイミングコントローラ１４からの入力部となるべき対象駆動回路の入出力バッファは、入力バッファとしてのみ機能する、従って、タイミングコントローラ１４から分岐を介して入力されるスタートパルス（ＳＴＨ）が、対象駆動回路内でシフトされたスタートパルスと競合することを避けることができる。
【００４０】
また、対象駆動回路の入出力バッファは３ステートバッファであって、順方向走査におけるタイミングコントローラ１４からの入力部となるべき対象駆動回路の入出力バッファ、並びに逆方向走査におけるタイミングコントローラ１４からの入力部となるべき対象駆動回路の入出力バッファは、常に出力がハイインピーダンスになる。従って、タイミングコントローラ１４から分岐を介して入力されるスタートパルス（ＳＴＨ）が、対象駆動回路内でシフトされたスタートパルスと競合することを避けることができる。
【００４１】
＜Ｃ．実施の形態２＞
＜Ｃ−１．構成＞
図１０は、実施の形態２に係る液晶表示装置１０２の構成図を示す。以下、液晶表示装置１０１との相違点を中心に、液晶表示装置１０２の構成を説明する。
【００４２】
液晶表示装置１０１では、ＯＦＦ端子により画像信号線駆動回路５、７及び走査線駆動回路３，４からタイミングコントローラに出力が流れることを抑制していた。これに対して液晶表示装置１０２では、タイミングコントローラ１４から出たスタートパルスの信号線が、それぞれダイオード（第１ダイオード）を介して画像信号線駆動回路５，７及び走査線駆動回路３，４と接続される。これにより、画像信号線駆動回路５，６，７および走査線駆動回路３，４のスタートパルス入出力バッファからの出力信号がタイミングコントローラ１４へ流れることを防止し、タイミングコントローラからの出力信号と競合しないようにすることができる。
【００４３】
また、液晶表示装置１０２において、画像信号線駆動回路５，６，７及び走査線駆動回路３，４のスタートパルス入出力バッファ内の３ステートバッファ周りの回路は、図１１のように３ステートバッファの出力直後にダイオード（第２ダイオード）を追加した回路とする。図１２は、当該回路の真理値表である。これにより、タイミングコントローラ１４からの出力信号が３ステートバッファに流れることを防止し、画像信号線駆動回路５，６，７および走査線駆動回路３，４のスタートパルス入出力バッファからの出力信号と競合しないようにすることができる。
【００４４】
また、実施の形態２では３ステートバッファがダイオードにより保護されているため、入力側の信号のケアをデジタル的に行っておきさえすれば、３ステートバッファを通常の出力バッファに変更することも可能である。
【００４５】
＜Ｃ−２．変形例＞
実施の形態１および実施の形態２において、タイミングコントローラ１４と画像信号線駆動回路５，６，７間のＲＧＢデータは、ＴＴＬロジックもしくはＣＭＯＳロジックを想定して説明を行っているが、特に、この部分がＲＳＤＳやｍｉｎｉＬＶＤＳなどの差動インターフェースであっても良い。
【００４６】
また、実施の形態２においても実施の形態１と同様、順方向スタートパルスと逆方向スタートパルスを一本化する駆動回路を、必ずしも画像信号線駆動回路５，６，７及び走査線駆動回路３，４の両方に適用する必要はなく、どちらか一方のみに適用してもよいことは無論である。
【００４７】
さらに、実施の形態１および実施の形態２において、画像信号線駆動回路５，６，７及び走査線駆動回路３，４は複数の集積回路（ＩＣ）のカスケード接続により実現されたが、これらは、それぞれ単一の集積回路で構成されていても良い。すなわち、全ての走査線駆動回路が一つの集積回路で構成されていても良いし、全ての画像信号線駆動回路が一つの集積回路で構成されていても良い。
【００４８】
また、実施の形態１および実施の形態２では、画像表示用の表示素子（表示パネル）の一例として液晶パネルを採用したが、本発明は特に表示デバイスを指定して実施するものではなく、表示面が平面状の所謂フラットパネル・ディスプレイであればよい。液晶ディスプレイの他に、有機ＥＬディスプレイ、ＭＥＭＳ（Ｍｉｃｒｏ  Ｅｌｅｃｔｒｏ−Ｍｅｃｈａｎｉｃａｌ  Ｓｙｓｔｅｍ）ディスプレイなどを採用することもできる。
【００４９】
＜Ｃ−３．効果＞
実施の形態２に係る液晶表示装置の駆動回路１０２において、タイミングコントローラ１４から画像信号線駆動回路５，６，７に対するスタートパルスの信号線は、分岐して、順方向走査におけるタイミングコントローラ１４からの入力部となるべき対象駆動回路の入出力部と、逆方向走査におけるタイミングコントローラ１４からの入力部となるべき対象駆動回路の入出力部とに接続されるが、分岐より対象駆動回路側で第１ダイオードを介して対象駆動回路と接続し、第１ダイオードのカソードが対象駆動回路に接続される。これにより、対象駆動回路のスタートパルス入出力バッファからの出力信号がタイミングコントローラ１４へ流れることを防止し、タイミングコントローラ１４からの出力信号と競合しないようにすることができる。
【００５０】
また、対象駆動回路の入出力部である入出力バッファは３ステートバッファであって、液晶表示装置の駆動回路１０２は、３ステートバッファにおける出力バッファと入力バッファとの接続点より出力バッファ側に設けられた第２ダイオードをさらに備え、第２ダイオードのアノードが出力バッファに接続される。従って、タイミングコントローラ１４からの出力信号が３ステートバッファに流れて対象駆動回路のスタートパルス入出力バッファからの出力信号と競合することを防止できる。
【００５１】
なお、本発明は、その発明の範囲内において、各実施の形態を自由に組み合わせたり、各実施の形態を適宜、変形、省略することが可能である。
【符号の説明】
【００５２】
１０１，１０２  液晶表示装置、２  液晶パネル、３，４  走査線駆動回路、５，６，７  画像信号線駆動回路、１４  タイミングコントローラ、１５  スケーラチップ、３１  走査線、３２  画像信号線、３３  画素。
【図１】
2017090643.tif 000003
【図２】
2017090643.tif 000004
【図３】
2017090643.tif 000005
【図４】
2017090643.tif 000006
【図５】
2017090643.tif 000007
【図６】
2017090643.tif 000008
【図７】
2017090643.tif 000009
【図８】
2017090643.tif 000010
【図９】
2017090643.tif 000011
【図１０】
2017090643.tif 000012
【図１１】
2017090643.tif 000013
【図１２】
2017090643.tif 000014